(57)【特許請求の範囲】
【請求項１】
玄関内壁面に沿わせて上部キャビネットと上面がカウンターになった下部キャビネットとを空間を介して上下に配設して成る玄関キャビネットであって、上部キャビネットの下面部の後部に下方且つ後方に開口する凹部を形成し、凹部内に、空間に臨む玄関内壁面である背壁面にあって凹部に臨む部位を含んだ上部域を照射するための光源を、配設し、上記凹部を側方に開口して形成すると共に、この凹部を有した上部キャビネットを複数個側方に並べて配置し、各上部キャビネットの凹部の側方開口同士を連通させて成ることを特徴とする玄関キャビネット。
【請求項２】
上部キャビネットの側端に開口する凹部の側方開口を上部キャビネットの側部に沿わせて配置した遮蔽部で閉塞して成ることを特徴とする請求項１記載の玄関キャビネット。
【請求項３】
上記凹部の前面を構成する縦板状の蓋板を上部キャビネットに着脱自在に設けたことを特徴とする請求項１又は２記載の玄関キャビネット。
【発明の詳細な説明】
【技術分野】
【０００１】
本発明は、玄関キャビネットに関するものである。
【背景技術】
【０００２】
従来から、玄関内壁面６に沿わせて上部キャビネット３と上面がカウンターになった下部キャビネットとを空間４を介して上下に配設して成る玄関キャビネット１は、たとえば図８のように知られている（たとえば特許文献１参照）。
【０００３】
詳しくは、この玄関キャビネット１は、上部キャビネット３の下面部に前板、両側板、背板３２を枠組みした下枠体３１を取り付け、光源７を前板の後面に取り付けて下枠体３１内に収納してある。光源７を発光させると光は後方に照射されて下枠体３１の背板３２や背板３２の後側に沿う玄関内壁面６を照らし、この反射光によって玄関キャビネット１の空間４、ひいては該空間４に収められるカウンター面板に載せた花瓶などの装飾物を、間接照明で仄かに照らすことが可能になり、玄関に落ち着いた雰囲気を醸し出すことを可能にしている。
【０００４】
ところで、昨今では玄関キャビネット１の空間４やこれに収めた装飾物を間接照明で仄かに照らし出すことは、何らの新鮮味も無くなり、魅力ある商品価値では無くなってきている。すなわち、図８の玄関キャビネット１では、玄関キャビネット１の前方の土間等に立った人からは光源７自体は見えないものの、上部キャビネット３と玄関内壁面６との境界Ｂ（この例では下枠材３１の背板３２と玄関内壁面６との境界Ｂ）が見えるものであり、光源７の照射光が、上部キャビネット３と玄関内壁面６との境界Ｂを照らして現出させることで、境界Ｂを挟んで配置される２部材（玄関内壁面６と下枠材３１の背板３２）の光り加減の違いや、境界Ｂにできる影などによって、容易に光源７の配設位置が予測されて、従来からある間接照明の構造を単に踏襲したものであることが簡単に見破られてしまうのであり、高い商品価値を伴う照明効果は期待できない。
【０００５】
そこで、本出願人は、図示はしないが下部キャビネットのカウンター面板と上部キャビネット３の下端部とに至る背面板を空間４の後方に配設し、この背面板に光源７を内蔵し、背面板の前面から透過光を発することで、空間４や装飾物を仄かに照らすことを想起した。これによると背面板が光るといった斬新な照明効果を発現できて高い商品価値を創出できるのであるが、背面板の厚みが厚くなったり、配線スペースを確保しにくかったりして比較的狭い空間である玄関空間に不利であるばかりか、そもそもコスト高になるといった問題があり、採用することはできないものであった。
【特許文献１】実開平６−４９６４２号公報
【発明の開示】
【発明が解決しようとする課題】
【０００６】
本発明は上記の点に鑑みてなされたものであり、その目的とするところは、間接照明を採用してコストを抑えつつも、高い商品価値を伴う照明効果を現出できる玄関キャビネットを提供することを課題とするものである。
【課題を解決するための手段】
【０００７】
上記課題を解決するために請求項１に係る玄関キャビネットにあっては、玄関内壁面６に沿わせて上部キャビネット３と上面がカウンターになった下部キャビネット２とを空間４を介して上下に配設して成る玄関キャビネット１であって、上部キャビネット３の下面部の後部に下方且つ後方に開口する凹部５を形成し、凹部５内に、空間４に臨む玄関内壁面６である背壁面６ａにあって凹部５に臨む部位を含んだ上部域６ａ１を照射するための光源７を、配設し、上記凹部５を側方に開口して形成すると共に、この凹部５を有した上部キャビネット３を複数個側方に並べて配置し、各上部キャビネット３の凹部５の側方開口同士を連通させて成ることを特徴とする。
【０００８】
これによると、光源７が光を照射した際の玄関内壁面６の少なくとも凹部５に臨む部位での反射光によって、玄関キャビネット１の空間４、ひいては該空間４に収められるカウンターに載せた花瓶などの装飾物Ａを、間接照明で仄かに照らすようにできる。そして、このような空間４や装飾物Ａを間接照明で照らすものでありながら、空間４を玄関キャビネット１の前方から見た場合には、光源７は勿論のこと、背壁面６ａと凹部５の天井面５ａとの境界Ｂが凹部５の中に隠れて見えず、つまり、背壁面６ａの上部域６ａ１が光って見えるだけであるから、あたかも玄関内壁面６自身が光っているような照明効果を現出できるのであり、従来からある間接照明のイメージを払拭できて商品価値を高めることができる。
【００１０】
また、玄関キャビネット１の幅方向に伸びる長尺の凹部５を簡単に形成することができ、光源７に一様に照明光を発する線光源を好適に凹部５内に配設することができて、背面壁６ａの上部域６ａ１を玄関キャビネット１の幅方向に一様に光らせて照明効果の向上を図ることができる。
【００１１】
また、請求項２に係る玄関キャビネットにあっては、請求項１において、上部キャビネット３の側端に開口する凹部５の側方開口を上部キャビネット３の側部に沿わせて配置した遮蔽部８で閉塞して成ることを特徴とする。
【００１２】
これによると、凹部５の側方を遮蔽部８にて閉塞できて光源７の光が凹部５の側方から漏れ出るのを防止できる。
【００１３】
また、請求項３に係る玄関キャビネットにあっては、請求項１又は２において、上記凹部５の前面を構成する縦板状の蓋板１２を上部キャビネット３に着脱自在に設けたことを特徴とする。
【００１４】
これによると、蓋板１２を上部キャビネット３から取り外すことで、上部キャビネット３の前方から上部キャビネット３の内部を通して凹部５に手を挿入できて、凹部５内でのたとえば光源７の取換えや取付け作業などの作業性を向上できる。
【発明の効果】
【００１５】
本発明にあっては、間接照明を採用してコストを抑えつつも、高い商品価値を伴う照明効果を現出できる、という利点を有する。
【発明を実施するための最良の形態】
【００１６】
以下、本発明を添付図面に示す実施形態に基いて説明する。
【００１７】
本例の玄関キャビネット１は、図１乃至図３のように、玄関内壁面６に沿わせて上部キャビネット３と上面がカウンターになった下部キャビネット２とを空間４を介して上下に配設して成るものである。
【００１８】
下部キャビネット２、上部キャビネット３は、それぞれ背板１４の周縁に側板１５、天板１６、底板１７を配置してこれら各板１４〜１７で囲繞した前方に開口する収納空間１８を有し、該収納空間１８を適宜棚板などの仕切り材１９で仕切って成る矩形状のキャビネット本体を備えると共に、キャビネット本体の前面に収納空間１８を開閉する扉体２０を適宜配置して構成されている。
【００１９】
上記各部キャビネット２，３は、それぞれ上記基本構成を有すると共にその幅寸法を統一してモジュール化されており、施工プランに合わせてモジュール化された各部キャビネット２，３を側方に適宜の個数並べて組み付け可能にされている。本例の玄関キャビネット１では、各４個の下部キャビネット２及び上部キャビネット３が用いられてそれぞれ一体化されている。また、本例の玄関キャビネット１では、その両側端（下部キャビネット２及び上部キャビネット３の各両側端）にそれぞれ化粧側面板１０が取り付けられている。
【００２０】
下部キャビネット２の天板１６上には空間４に臨むカウンター面板９が載置固定される。なお、カウンター面板９は、下部キャビネット２の幅寸法（複数並設した場合は全体の幅寸法）と略同幅に形成され、下部キャビネット２の天板１６全てと後述する化粧側面板１０の上端面とを覆うようにされる。カウンター面板９や化粧側面板１０は、各キャビネット２，３の収納空間１８側からビス固定されて、その表面に綺麗な化粧面を維持して玄関キャビネット１に良好な外観を確保する。ここで、カウンター面板９は、花瓶などの装飾物Ａを置くカウンターとして機能するものであり、つまり上記下部キャビネット２と上部キャビネット３との間の空間４はカウンター板に載せた花瓶などの装飾物Ａを収めるディスプレイ空間として機能でき、この空間４や装飾物Ａは後述する光源７から発する光にて間接的に照らされて、玄関空間に落ち着いた雰囲気を醸し出すことを可能にしている。
【００２１】
上部キャビネット３及び下部キャビネット２は、玄関内壁面６に沿わせて玄関に配設されるのであるが、具体的には玄関内壁面６に埋設した固定用下地材４０に背板１４をネジ等の固定具４１で固定させることで、玄関内壁面６に適宜吊り支持された状態で取り付けられる。なお、下部キャビネット２は、施工現場の玄関構造に合わせて、室内床４２に載置させたりする施工も行われる。たとえば図１乃至３のように下部キャビネット２を台座部材１１を介して室内床４２に据え置いたり、また下部キャビネット２を上がり框４３を跨いで配設する場合には図６（ａ）のように下端の一部を台座部材１１を介して室内床４２に据え置くと共に下端の一部を土間４４の上方に浮かせて吊り支持させて配設したり、また図６（ｂ）のように玄関キャビネット１の下端を室内床４２や土間４４の上方に浮かせて吊り支持させて配設することもできる。なお、図１中２６は玄関キャビネット１の上端面と玄関天井４５との隙間を埋めて収まりを良くするための隙間埋め材であり適宜使用される。また図６のように玄関内壁面６に下部キャビネット２を吊り支持させる場合では、宙に浮く下部キャビネット２の下端部分を固定用下地材４０に取り付けたアングル材（図示せず）に載設して取付強度を確保するのも好ましい。
【００２２】
ところで、本例の玄関キャビネット１では、空間４や装飾物Ａを照らす照明効果に、従来からある間接照明のイメージを払拭した高い商品価値を発現できたことに特徴を有しており、以下に詳述する。
【００２３】
図４のように、上部キャビネット３の下面部の後部には下方且つ後方に開口する凹部５を形成している。具体的には、上部キャビネット３の一対の側板１５の後部の下角部にはそれぞれ下方且つ後方に開口する切欠２１が形成され、各切欠２１の上縁同士に凹部５の天井面５ａを構成する天井面板２２が架設されている。この天井面板２２の後端は上部キャビネット３の背板１４の下端に連結されている。天井面板２２はその上面を収納空間１８の棚板として使用できる。また、上部キャビネット３には凹部５の前面を構成する縦板状の蓋板１２が設けられる。この蓋板１２は、図５のように、下端に設けた係止突起１２ａを底板１７の後端上面の係止溝部１７ａに係止すると共に、上端を天井面板２２の前端面に蓋用ビス２３にて取り付けてあり、収納空間１８内からの上記蓋用ビス２３の着脱によって上部キャビネット３への着脱が可能にされている。なお、上部キャビネット３の内部において蓋板１２の手前のスペースも底板１７に収納物を載せて収納できる収納スペースとして利用できる。
【００２４】
上部キャビネット３を玄関内壁面６に沿わせて配設した際には、凹部５は、上部キャビネット３の天井面板２２及び蓋板１２、化粧側面板１０、玄関内壁面６によって囲繞されて、下方の空間４にのみ開いて連通された、玄関キャビネット１の幅方向に長尺の溝状部位になる。詳しくは、上部キャビネット３を側方に複数個隣接して配置した場合には、各上部キャビネット３に形成した凹部５の側方開口がそれぞれ隣接する凹部５の側方開口と連通して、凹部５は複数の上部キャビネット３に亙る溝条部位となる。
【００２５】
この凹部５には光源７が収めて配設される。具体的には、光源７は、凹部５の長手方向に長い線光源となる直管蛍光灯７ａで構成され、図５のように上部キャビネット３の天井面板２２の下面に取り付けた光源取付台２４に装着されて、蓋板１２の後面に近接した状態に配設される。ここで、光源７の取付けや取替えなどの際には、蓋板１２を上部キャビネット３から取り外すことで、上部キャビネット３の前方から収納空間１８を通して凹部５内に手を挿入できるから、この作業の容易化か図られている。
【００２６】
また、光源取付台２４には、光源７の前縁に垂設される縦片部２５ａと、光源７の上方に位置して上記縦片部２５ａの上端から後斜め上方に突出する傾斜片部２５ｂとを備えた反射板２５が取り付けられている。この反射板２５によると、光源７の照射光に対し、空間４に臨む玄関内壁面６である背壁面６ａにあって凹部５に臨む部位を含んだ上部域６ａ１を照射する指向性を備えるようにできる。なお、凹部５の側方は化粧側面板１０によって閉塞されており、つまり、凹部５の側方を化粧側面板１０が構成する遮蔽部８にて閉塞できて光源７の光が凹部５の側方から漏れ出ることも防止されている。
【００２７】
したがって、光源７が光を照射した際には、背壁面６ａの上部域６ａ１での反射光によって、玄関キャビネット１の空間４、ひいては該空間４に収められるカウンター面板９に載せた花瓶などの装飾物Ａを、間接照明で仄かに照らすようにできる。このとき、空間４を玄関キャビネット１の前方から見た場合には、図１及び２のように、光源７は勿論のこと、背壁面６ａと凹部５の天井面５ａとの境界Ｂが凹部５の中に隠れて見えず、つまり、背壁面６ａの上部域６ａ１が光って見えるだけであるから、あたかも玄関内壁面６自身が光っているような照明効果を現出できたものである。このように本例では、空間４や装飾物Ａを間接照明で照らすものであってコスト的な利点を備えるものでありながら、あたかも玄関内壁面６自身が光っているような照明効果を現出できたものであり、従来からある間接照明のイメージを払拭できて商品価値を高めることができたのである。
【００２８】
ここで、光源７として本例のように線光源の直管蛍光灯７ａを用いた場合には、背壁面６ａの上部域６ａ１の光り具合を偏りのない略一様な状態にでき、上記の照明効果を良好に発現させることが可能になり好ましい。なお、光源７として用いる直管蛍光灯７ａが凹部５の長手寸法に比べて充分に短い場合には、複数本の直管蛍光灯７ａを連続して配置することもできる。このとき、直管蛍光灯７ａとして、両端の端子部を上面に設けて直管蛍光灯７ａの全長全てを発光部としたタイプのものを用いた場合には、複数の直管蛍光灯７ａを一直線状に列設させても光の切れ間を無くできて、背壁面６ａの上部域６ａ１の光り具合を偏りのない略一様な状態にできるから、上記の照明効果を良好に発現させることが可能になり好ましい。
【００２９】
なお、以下に本発明の玄関キャビネット１の他例を示す。図７（ａ）の玄関キャビネット１は、先例の上部キャビネット３及び下部キャビネット２に対して個別に取り付ける化粧側面板１０に代えて、空間４の側端をも閉塞するような玄関キャビネット１の上下に亙る縦長の化粧側面板１０を用いている。この例においても、化粧側面板１０が凹部５の側端を塞ぐ遮蔽部８として機能し、光源７の光が凹部５の側方から漏れ出るのを防止できると共に、先例と同様の照明効果を期待できる。また、図７（ｂ）の玄関キャビネット１は、上部キャビネット３及び下部キャビネット２の側方に亙って側部キャビネット１３を隣接して配設し、各キャビネット２，３，１３同士を固定することで一体的に構成させたものである。この例では、側部キャビネット１３が凹部５の側端を塞ぐ遮蔽部８として機能し、光源７の光が凹部５の側方から漏れ出るのを防止できると共に、先例と同様の照明効果を期待できる。
【図面の簡単な説明】
【００３０】
【図１】本発明の実施の形態の例の玄関キャビネットであり、（ａ）は正面図であり、（ｂ）は側断面図である。
【図２】同上の玄関キャビネットの斜視図である。
【図３】同上の玄関キャビネットの扉体を除いた分解斜視図である。
【図４】同上の上部キャビネットの本体キャビネットの分解斜視図である。
【図５】同上の蓋体の着脱を説明する要部の側面図である。
【図６】（ａ）（ｂ）は同上の玄関キャビネットの他の施工例を示す正面図である。
【図７】（ａ）（ｂ）は玄関キャビネットの他例を示す正面図である。
【図８】従来技術の例の玄関キャビネットの要部の側断面図である。
【符号の説明】
【００３１】
１  玄関キャビネット
２  下部キャビネット
３  上部キャビネット
４  空間
５  凹部
６  玄関内壁面
６ａ  背壁面
６ａ１  上部域
７  光源
８  遮蔽部
９  カウンター面板
１０  化粧側面板
１３  側部キャビネット
【図１】
0004877188.tif 000002
【図２】
0004877188.tif 000003
【図３】
0004877188.tif 000004
【図４】
0004877188.tif 000005
【図５】
0004877188.tif 000006
【図６】
0004877188.tif 000007
【図７】
0004877188.tif 000008
【図８】
0004877188.tif 000009